(57)【要約】      （修正有）【課題】標準的なナビゲーション地図と車両の過去の軌跡に基づいて、自動運転のための道路の車線構成を生成する方法を提供する。【解決手段】自動運転のための道路の車線構成を生成する方法において、ネットワークを介していくつかの自動運転車両（ＡＤＶ）から感知データを受信する。感知データは、いくつかの車両が道路の道路セグメントを通過するように走行した一組の軌跡を記述する情報と、同じ道路セグメントを走行する１つ以上のＡＤＶがそれらの対応するセンサーを使用して感知した情報とを含む。感知データに応答して、感知データ（すなわち、軌跡）を解析することによって、道路セグメント内の１つ以上の車線を決定する。車線の各々について、対応する車線内の軌跡に基づいて、当該車線に関連する車線基準線を計算する。１つ以上の車線の車線基準線を記述する車線メタデータは、データベースなどの車線構成データ構造に記憶される。【選択図】図８
2020064611.tif 000002
【特許請求の範囲】
【請求項１】
自動運転のための道路の車線構成を生成するためのコンピュータ実施方法であって、
一定期間にわたって道路の道路セグメントを通過するようにナビゲートする複数の車両が走行する一組の軌跡を記述する感知データを受信することと、
一組のルールを使用して、前記軌跡を解析することによって、前記道路セグメント内の１つ以上の車線を決定することと、
前記１つ以上の車線の各々について、前記車線内の前記軌跡に基づいて、前記車線に関連する車線基準線を計算することと、
前記道路セグメントに対応する前記１つ以上の車線の車線基準線を車線構成データベースに記憶することと、
を含み、
ここで、前記車線基準線は、高解像度地図を使用せずに前記道路セグメントを通過するように車両を自動運転するために利用される、
方法。
【請求項２】
前記車両が前記道路セグメントを通過するように走行するときに、複数の自動運転車両の１つ以上のセンサーによって前記軌跡を観測する請求項１に記載の方法。
【請求項３】
前記車線構成データベースは、複数の道路の複数の道路セグメントの複数の車線基準線を記憶し、ここで、前記車線基準線の各々は、高解像度地図を使用せずに対応する道路セグメントを通過するようにナビゲートする車両の過去の軌跡に基づいて生成される請求項１に記載の方法。
【請求項４】
前記車線内の前記軌跡に基づいて、前記車線に関連する車線基準線を計算することは、
前記軌跡のうちの残りの軌跡から著しく外れた任意の軌跡を削除することと、
平滑化動作を実行することによって前記残りの軌跡を平滑化することと、
平滑化された軌道のうちの平均軌跡を計算することによって前記車線基準線を表すことと、
を含む請求項１に記載の方法。
【請求項５】
前記車両の軌跡に基づいて、前記道路セグメント内の前記車線の各々の車線幅を決定することをさらに含み、ここで、前記車線幅は前記車線構成データベースに記憶されている請求項１に記載の方法。
【請求項６】
ネットワークを介して自動運転車両から第２道路セグメントの車線基準線に対する要求を受信することと、
前記第２道路セグメントに基づいて前記車線構成データベースを照会することによって、前記第２道路セグメントに関連する１つ以上の車線基準線を検索することと、
検索された車線基準線を前記自動運転車両に送信することと、
をさらに含む請求項１に記載の方法。
【請求項７】
前記要求は、前記第２道路セグメントに関連する道路基準線の始点と終点を含み、ここで、前記道路基準線は、前記車線構成データベースを照会することによって前記車線基準線を検索するためのものである請求項６に記載の方法。
【請求項８】
前記車線構成データベースは複数のマッピングエントリを含み、ここで、各マッピングエントリはいずれも特定の道路基準線を１つ以上の車線基準線にマッピングする請求項６に記載の方法。
【請求項９】
命令が記憶されている非一時的な機械可読媒体であって、
前記命令がプロセッサによって実行される場合に、
一定期間にわたって道路の道路セグメントを通過するようにナビゲートする複数の車両が走行する一組の軌跡を記述する感知データを受信することと、
一組のルールを使用して、前記軌跡を解析することによって、前記道路セグメント内の１つ以上の車線を決定することと、
前記１つ以上の車線の各々について、前記車線内の前記軌跡に基づいて、前記車線に関連する車線基準線を計算することと、
前記道路セグメントに対応する前記１つ以上の車線の前記車線基準線を車線構成データベースに記憶することと、
を前記プロセッサに実行させ、
ここで、前記車線基準線は、高解像度地図を使用せずに前記道路セグメントを通過するように車両を自動運転するために利用される、
非一時的な機械可読媒体。
【請求項１０】
前記車両が前記道路セグメントを通過するように走行するときに、複数の自動運転車両の１つ以上のセンサーによって前記軌跡を観測する請求項９に記載の非一時的な機械可読媒体。
【請求項１１】
前記車線構成データベースは、複数の道路の複数の道路セグメントの複数の車線基準線を記憶し、ここで、前記車線基準線の各々は、高解像度地図を使用せずに対応する道路セグメントを通過するようにナビゲートする車両の過去の軌跡に基づいて生成される請求項９に記載の非一時的な機械可読媒体。
【請求項１２】
前記車線内の前記軌跡に基づいて、前記車線に関連する車線基準線を計算することは、
前記軌跡のうちの残りの軌跡から著しく外れた任意の軌跡を削除することと、
平滑化動作を実行することによって前記残りの軌跡を平滑化することと、
平滑化された軌道のうちの平均軌跡を計算することによって前記車線基準線を表すことと、
を含む、
請求項９に記載の非一時的な機械可読媒体。
【請求項１３】
前記動作は、前記車両の軌跡に基づいて、前記道路セグメント内の前記車線の各々の車線幅を決定することをさらに含み、ここで、前記車線幅は前記車線構成データベースに記憶されている請求項９に記載の非一時的な機械可読媒体。
【請求項１４】
前記動作は、
ネットワークを介して自動運転車両から第２道路セグメントの車線基準線に対する要求を受信することと、
前記第２道路セグメントに基づいて前記車線構成データベースを照会することによって、前記第２道路セグメントに関連する１つ以上の車線基準線を検索することと、
検索された車線基準線を前記自動運転車両に送信することと、
をさらに含む、
請求項９に記載の非一時的な機械可読媒体。
【請求項１５】
前記要求は、前記第２道路セグメントに関連する道路基準線の始点と終点を含み、ここで、前記道路基準線は、前記車線構成データベースを照会することによって前記車線基準線を検索するためのものである請求項１４に記載の非一時的な機械可読媒体。
【請求項１６】
前記車線構成データベースは複数のマッピングエントリを含み、ここで、各マッピングエントリはいずれも特定の道路基準線を１つ以上の車線基準線にマッピングする請求項１４に記載の非一時的な機械可読媒体。
【請求項１６】
プロセッサと、前記プロセッサに接続されて命令を記憶するメモリとを含むデータ処理システムであって、
前記命令がプロセッサによって実行され場合に、
自動運転車両が複数の障害物を含む関心領域内で移動するときに、前記自動運転車両に取り付けられた１つ以上のセンサーから前記障害物の障害物情報と前記自動運転車両の車両データとを含むセンサーデータを収集することと、
前記車両データが捕捉された現在時刻を利用して前記車両データのそれぞれにタイムスタンプを付与することにより、前記車両データに対応する複数のタイムスタンプを生成することと、
前記障害物情報、前記車両データ、および対応するタイムスタンプを少なくとも部分的に将来の障害物挙動および前記自動運転車両の車両運動を予測するために後で使用される一組のパラメータをトレーニングするために使用されるトレーニングデータに集約することと、
を前記プロセッサに実行させるデータ処理システム。
【請求項１７】
自動運転車両を動作するためのコンピュータ実施方法であって、
ナビゲーション地図に基づいて、出発地と目的地とを結ぶ１つ以上の道路を決定することと、
前記出発地から前記目的地までの前記道路の各々について、前記ナビゲーション地図から道路基準線を取得し、前記道路基準線に基づいて車線構成データベースにアクセスすることによって、前記道路内の１つ以上の車線に関連する１つ以上の車線基準線を識別し検索することと、
前記１つ以上の道路の前記車線基準線に基づいてルートを計画することと、
前記ルートに従って前記自動運転車両を前記出発地から前記目的地まで自動運転することと、
を含む方法。
【請求項１８】
車線構成データベースにアクセスすることは、
ネットワークを介して前記道路基準線を前記車線構成データベースが記憶されているリモートサーバに送信することと、
ネットワークを介して前記リモートサーバから前記１つ以上の車線基準線を受信することと、
を含む、
請求項１７に記載のコンピュータ実施方法。
【請求項１９】
前記リモートサーバは、高解像度地図を使用せずに、前記道路基準線に基づいて、前記車線基準線を決定する請求項１８に記載のコンピュータ実施方法。
【請求項２０】
前記車線基準線は、一定期間にわたって前記１つ以上の道路内の複数の車両が走行する複数の軌道に基づいて前記リモートサーバによって生成される請求項１８に記載のコンピュータ実施方法。
【請求項２１】
前記車線構成データベースは複数のマッピングエントリを含み、ここで、各マッピングエントリはいずれも特定の道路基準線を１つ以上の車線基準線にマッピングする請求項１７に記載のコンピュータ実施方法。
【請求項２２】
前記ナビゲーション地図に前記道路の車線構成が含まれていない請求項１７に記載のコンピュータ実施方法。 
【発明の詳細な説明】
【技術分野】
【０００１】
本発明の実施形態は、主に自動運転車両の動作に関する。より具体的には、本発明の実施形態は、標準的なナビゲーション地図と車両の過去の軌跡に基づいて決定された車線構成を利用した自動運転に関する
【背景技術】
【０００２】
自動運転モード（例えば、無人運転）で運転している車両は、運転に関連するいくつかの責任から乗員、特に運転手を解放することができる。自動運転モードで運転しているとき、車両は車載センサーを使用してさまざまな地点にナビゲートされることができるため、車両が最小限のヒューマンコンピュータインタラクションや乗客なしなどの状況で走行することができる。
【発明の概要】
【発明が解決しようとする課題】
【０００３】
運動計画および制御は自動運転における重要な動作である。通常、自動運転の計画は地図情報に大きく依存し、ユーザーの介入なしに自動運転車両（ＡＤＶ）を案内する。ＧｏｏｇｌｅやＢａｉｄｕ地図のような一般的な地図とは、道路の間でナビゲートするのに使用できるナビゲーション地図のことである。しかしながら、このようなナビゲーション地図には、車線構成情報などの詳細がない。したがって、ナビゲーション地図は自動運転には十分ではない。ＡＤＶを自動運転するためには、道路の車線構成を含む高解像度（ＨＤ）地図が必要である。しかしながら、このようなＨＤ地図はいくつかの時には利用できない場合があり、かつ、ＨＤ地図を生成して維持するのは一般に高価である。
【課題を解決するための手段】
【０００４】
本発明に係る一態様は、自動運転のための道路の車線構成を生成するためのコンピュータ実施方法であって、
一定期間にわたって道路の道路セグメントを通過するようにナビゲートする複数の車両が走行する一組の軌跡を記述する感知データを受信することと、
一組のルールを使用して、前記軌跡を解析することによって、前記道路セグメント内の１つ以上の車線を決定することと、
前記１つ以上の車線の各々について、前記車線内の前記軌跡に基づいて、前記車線に関連する車線基準線を計算することと、
前記道路セグメントに対応する前記１つ以上の車線の車線基準線を車線構成データベースに記憶することと、
を含み、
ここで、前記車線基準線は、高解像度地図を使用せずに前記道路セグメントを通過するように車両を自動運転するために利用される、
方法に関する。
【０００５】
本発明に係る別の一態様は、命令が記憶されている非一時的な機械可読媒体であって、
前記命令がプロセッサによって実行される場合に、
一定期間にわたって道路の道路セグメントを通過するようにナビゲートする複数の車両が走行する一組の軌跡を記述する感知データを受信することと、
一組のルールを使用して、前記軌跡を解析することによって、前記道路セグメント内の１つ以上の車線を決定することと、
前記１つ以上の車線の各々について、前記車線内の前記軌跡に基づいて、前記車線に関連する車線基準線を計算することと、
前記道路セグメントに対応する前記１つ以上の車線の前記車線基準線を車線構成データベースに記憶することと、
を前記プロセッサに実行させ、
ここで、前記車線基準線は、高解像度地図を使用せずに前記道路セグメントを通過するように車両を自動運転するために利用される、
非一時的な機械可読媒体に関する。
【０００６】
本発明に係るさらに別の一態様は、自動運転車両を動作するためのコンピュータ実施方法であって、
ナビゲーション地図に基づいて、出発地と目的地とを結ぶ１つ以上の道路を決定することと、
前記出発地から前記目的地までの前記道路の各々について、前記ナビゲーション地図から道路基準線を取得し、前記道路基準線に基づいて車線構成データベースにアクセスすることによって、前記道路内の１つ以上の車線に関連する１つ以上の車線基準線を識別し検索することと、
前記１つ以上の道路の前記車線基準線に基づいてルートを計画することと、
前記ルートに従って前記自動運転車両を前記出発地から前記目的地まで自動運転することと、
を含む方法に関する。
【図面の簡単な説明】
【０００７】
【図１】一実施形態に係るネットワーク化システムを示すブロック図である。
【図２】一実施形態に係る自動運転車両の例を示すブロック図である。
【図３Ａ】一実施形態に係る自動運転車両と共に使用される感知・計画システムの例を示すブロック図である。
【図３Ｂ】一実施形態に係る自動運転車両と共に使用される感知・計画システムの例を示すブロック図である。
【図４】一実施形態に係る車線構成データ構造を示す図である。
【図５】一実施形態によるクラウドソーシング自動運転データ収集システムを示す図である。
【図６】一実施形態による地図更新システムの例を示すブロック図である。
【図７Ａ】一実施形態に係る道路セグメントの車線構成を生成するプロセスを示す図である。
【図７Ｂ】一実施形態に係る道路セグメントの車線構成を生成するプロセスを示す図である。
【図７Ｃ】一実施形態に係る道路セグメントの車線構成を生成するプロセスを示す図である。
【図８】一実施形態に係る過去の軌跡に基づいて車線構成を生成するプロセスを示すフローチャートである。
【図９】一実施形態に係る地図サービスを提供するプロセスを示すフローチャートである。
【図１０】一実施形態に係る自動運転車両を動作するプロセスを示すフローチャートである。
【図１１】一実施形態に係るデータ処理システムを示すブロック図である。
【発明を実施するための形態】
【０００８】
本発明の様々な実施形態および態様を以下に検討される詳細を参照して記載し、図面には、前記様々な実施形態が示されている。以下の記載及び図面は本発明を説明するためのものであり、本発明を限定するものと解釈されるべきではない。特定の詳細を多く記載することは、本発明の様々な実施形態を完全に理解するためである。しかしながら、本発明の実施形態を簡潔に検討するために、周知または従来の詳細は記載しない場合もある。
【０００９】
本明細書における「一実施形態」または「実施形態」への言及は、当該実施形態に関連して説明された特定の特徴、構造、または特性が本発明の少なくとも１つの実施形態に含まれ得ることを意味する。本明細書の様々な箇所に出現する「一実施形態では」とは、必ずしも全て同じ実施形態を指すわけではない。
【００１０】
本発明の一実施形態によれば、感知データは、ネットワーク（例えば、クラウドネットワーク）を介して、複数の自動運転車両（ＡＤＶ）のようなクラウドソーシングデータの提供側から受信される。感知データは、いくつかの車両が道路の道路セグメントを通過するように走行した一組の軌跡を記述する情報と、同じ道路セグメントを走行する１つ以上のＡＤＶがそれらの対応するセンサー（例えば、カメラ）を使用して感知した情報とを含む。感知データに応答して、感知データ（すなわち、軌跡）を解析することによって、道路セグメント内の１つ以上の車線を決定する。車線の各々について、対応する車線内の軌跡に基づいて、車線に関連する車線基準線を計算する。１つ以上の車線の車線基準線を記述する車線メタデータは、データベースなどの車線構成データ構造に記憶される。そして、車線構成データベースは、その後、高解像度（ＨＤ）地図を使用せずにリアルタイムで自動運転するために利用されることができる。
【００１１】
一実施形態において、これらの車両も同じ道路内を走行している場合、１つ以上のＡＤＶの１つ以上のセンサーで車両の軌跡を観測する。ＡＤＶは、１つ以上のカメラを備え、当該１つ以上のカメラは、他の車両の道路内の異なる時点での走行状況（例えば、経路、速度、前進方向）を観測することができる。車線構成データ構造は、様々な道路のいくつかの道路セグメントのいくつかの車線基準線を記憶する。基準線の各々は、ＨＤ地図を使用せずに対応する道路セグメントを通過するようにナビゲートする車両の過去の軌跡に基づいて生成される。
【００１２】
一実施形態において、車線に関連する車線基準線を計算する際に、残りの軌跡から著しく外れた任意の軌跡を考慮の上で削除する。残りの軌跡を平滑化する。次に、残りの軌跡から平均軌跡を計算することによって、対応する道路セグメントの目標車線基準線を表す。また、車線内の軌跡に基づいて車線の車線幅を計算する。例えば、車線幅は、２つの最も外側の軌跡の間の横方向距離に所定の緩衝距離またはマージンを加えたものに基づいて決定されてもよい。
【００１３】
続いて、一実施形態によれば、特定の道路セグメントまたは道路の車線構成を要求する要求がＡＤＶから受信される。要求に応答して、道路セグメント識別子または道路識別子に基づいて車線構成データベース内で照会を行うことによって、道路セグメントまたは道路内の１つ以上の車線に関連する１つ以上の車線基準線を決定または検索する。この後、車線の選択可能な車線幅を有する基準線をＡＤＶに戻すことによって、ＡＤＶがＨＤ地図を使用せずにＡＤＶを計画し制御することを可能にする。この要求は、ＡＤＶにおける標準的なナビゲーション地図から取得された道路基準線の始点および終点を含むことができる。始点と終点および道路識別子に基づいて、対応する車線基準線を決定することができる。
【００１４】
続いて、一実施形態によれば、要求を受信して、ＡＤＶを出発地から目的地まで運転する。ＡＤＶ内のユーザーインターフェースを介して乗客から要求を受信することができる。当該要求に応答して、標準的なナビゲーション地図に基づいて、出発地と目的地とを結ぶ１つ以上の道路を決定する。出発地から前記目的地までの道路の各々について、ナビゲーション地図から道路基準線を取得する。道路基準線に基づいて車線構成データ構造で照会を行うことによって、ＨＤ地図を使用せずに、道路内の１つ以上の車線に関連する１つ以上の車線基準線を取得する。車線基準線に基づいてルートを計画することによって、ＡＤＶを出発地から目的地まで自動運転する。
【００１５】
一実施形態において、車線構成データ構造を照会するときに、照会はネットワークを介してリモートサーバに送信され、ここで、リモートサーバには車線構成データベースが記憶されている。当該照会に応答して、リモートサーバは、道路基準線に基づいて車線構成データベースにアクセスすることによって、ＨＤマップを使用せずに、車線基準線を識別し検索する。この後、リモートサーバは、ＡＤＶの自動運転のために、車線基準線をＡＤＶに送り返す。
【００１６】
図１は、本発明の一実施形態に係る自動運転車両ネットワーク構成を示すブロック図である。図１Ａを参照すると、ネットワーク構成１００は、ネットワーク１０２を介して１つまたは複数のサーバ１０３〜１０４に通信可能に接続された自動運転車両１０１を含む。１つの自動運転車両が示されているが、複数の自動運転車両がネットワーク１０２を介して互いに接続され、および／またはサーバ１０３〜１０４に接続されることが可能でる。ネットワーク１０２は、有線または無線のローカルエリアネットワーク（ＬＡＮ）、インターネットなどの広域ネットワーク（ＷＡＮ）、セルラーネットワーク、衛星ネットワーク、またはそれらの組み合わせなどの任意のタイプのネットワークであってもよい。サーバ１０３〜１０４は、ネットワークまたはクラウドサーバ、アプリケーションサーバ、バックエンドサーバ、またはそれらの組み合わせなどの任意のタイプのサーバまたはサーバ・クラスタであってもよい。サーバ１０３〜１０４は、データ分析サーバ、コンテンツサーバ、交通情報サーバ、地図・関心点（ＭＰＯＩ：map and point of interest）サーバまたはロケーションサーバなどであってもよい。
【００１７】
自動運転車両とは、自動運転モードになるように配置可能な車両を指し、前記自動運転モードで、運転者からの入力がほとんどまたは全くない状況で、車両が周囲の環境をナビゲートして通過する。このような自動運転車両は、車両の走行環境に関連する情報を検出するように構成された１つ以上のセンサを有するセンサーシステムを含むことが可能である。前記車両及びかかるコントローラは、検出された情報を使用して周囲の環境をナビゲートして通過する。自動運転車両１０１は、手動モード、全自動運転モード、または一部自動運転モードで運転することができる。
【００１８】
一実施形態では、自動運転車両１０１は、感知・計画システム１１０、車両制御システム１１１、無線通信システム１１２、ユーザインタフェースシステム１１３、およびセンサーシステム１１５を含むが、これらに限定されない。自動運転車両１０１はエンジン、ホイール、ステアリングホイール、トランスミッションなどの一般の車両に含まれるいくつかの共通の要素をさらに含み、例えば加速信号または命令、減速信号または命令、ステアリング信号または命令、ブレーキ信号または命令などの様々な通信信号および／または命令を使用して、車両制御システム１１１および／または感知・計画システム１１０によって、前記要素を制御してもよい。
【００１９】
要素１１０〜１１５同士は、インターコネクト、バス、ネットワーク、またはそれらの組み合わせを介して通信可能に接続されることが可能である。例えば、要素１１０〜１１５同士は、コントローラエリアネットワーク（ＣＡＮ）バスを介して通信可能に接続されることができる。ＣＡＮバスは、マイクロコントローラとデバイスがホストコンピュータなしのアプリケーションで互いに通信することを許容するように設計された車両バス規格である。これは、もともと自動車内の多重電気配線のために設計されたメッセージベースのプロトコルでしたが、他の多くの環境でも使用されている。
【００２０】
次に、図２を参照すると、一実施形態では、センサーシステム１１５は、１つ以上のカメラ２１１と、全地球測位システム（ＧＰＳ）ユニット２１２と、慣性計測ユニット（ＩＭＵ）２１３と、レーダユニット２１４と、光検出・測距（ＬＩＤＡＲ）ユニット２１５とを含むが、これらに限定されない。ＧＰＳユニット２１２は、自動運転車両の位置に関する情報を提供するように動作できる送受信機を含むことができる。ＩＭＵユニット２１３は、慣性加速度に基づいて自動運転車両の位置および向きの変化を検知することができる。レーダユニット２１４は、無線信号を利用して自動運転車両のローカル環境内の対象物を感知するシステムを表すことができる。いくつかの実施形態では、対象物を感知することに加えて、レーダーユニット２１４は、対象物の速度および／または進行方向をさらに感知することができる。ＬＩＤＡＲユニット２１５は、レーザを使用することにより自動運転車両が存在する環境における対象物を感知することができる。他のシステム要素を除いて、ＬＩＤＡＲユニット２１５は、１つ以上のレーザ源、レーザスキャナ、および１つ以上の検出器も含むことができる。カメラ２１１は、自動運転車両の周囲の環境の画像を取得するための１つ以上の装置を含むことができる。カメラ２１１は、スチルカメラおよび／またはビデオカメラであってもよい。カメラは、例えば回転および／または傾斜プラットフォーム上にカメラを取り付けることによって、機械的に移動可能なものであってもよい。
【００２１】
センサーシステム１１５は、ソナーセンサー、赤外線センサー、ステアリングセンサー、スロットルセンサー、ブレーキセンサー、およびオーディオセンサー（例えば、マイクロフォン）などの他のセンサーをさらに含むことができる。オーディオセンサーは、自動運転車両の周囲の環境から音を集音するように構成されることができる。ステアリングセンサーは、ステアリングホイール、車両の車輪、またはそれらの組み合わせの操舵角を感知するように構成されることができる。スロットルセンサーおよびブレーキセンサーは、それぞれ車両のスロットル位置およびブレーキ位置を検知する。スロットルセンサー及びブレーキセンサーは、集積式スロットル/ブレーキセンサーとして集積される場合もある。
【００２２】
一実施形態では、車両制御システム１１１は、ステアリングユニット２０１、スロットルユニット２０２（加速ユニットとも呼ばれる）、およびブレーキユニット２０３を含むが、これらに限定されない。ステアリングユニット２０１は、車両の向きまたは進行方向を調整するために使用される。スロットルユニット２０２は、モータまたはエンジンの速度を制御して車両の速度および加速度を制御するために使用される。ブレーキユニット２０３は、摩擦を与えて車両の車輪またはタイヤを減速させることによって車両を減速させる。なお、図２に示される要素は、ハードウェア、ソフトウェア、またはそれらの組み合わせによって実施されることができる。
【００２３】
図１に戻って参照すると、無線通信システム１１２は、自動運転車両１０１と装置、センサー、他の車両などの外部システムとの間の通信を可能にする。例えば、無線通信システム１１２は、直接またはネットワーク１０２とサーバ１０３〜１０４などの通信ネットワークを介して１つ以上の装置と無線通信することができる。無線通信システム１１２は、別の要素またはシステムと通信するために、例えばＷｉＦｉなどの任意のセルラー通信ネットワークまたは無線ローカルエリアネットワーク（ＷＬＡＮ）を使用することができる。無線通信システム１１２は、例えば赤外線リンク、Ｂｌｕｅｔｏｏｔｈなどを使用して装置（例えば、乗客の移動装置、表示装置、車両１０１内のスピーカー）と直接通信することができる。ユーザインタフェースシステム１１３は、例えばキーボード、タッチスクリーンディスプレイ装置、マイクロフォン、およびスピーカなどを含む車両１０１内に実施される周辺装置の一部であってもよい。
【００２４】
特に自動運転モードで動作しているときに、自動運転車両１０１の機能の一部または全部を感知・計画システム１１０によって制御または管理することができる。感知・計画システム１１０は、必要なハードウェア（例えば、プロセッサ、メモリ、記憶装置）およびソフトウェア（例えば、オペレーティングシステム、計画・ルーティングプログラム）を含むことにより、センサーシステム１１５、制御システム１１１、無線通信システム１１２および/またはユーザインターフェースシステム１１３から情報を受信し、受信した情報を処理し、出発地から目的地までのルートまたは経路を計画し、その後、計画および制御情報に基づいて車両１０１を運転する。代わりに、感知・計画システム１１０を車両制御システム１１１と統合することができる。
【００２５】
例えば、乗客であるユーザは、例えばユーザインターフェースを介して、旅程の出発地と目的地を指定することができる。感知・計画システム１１０は旅程関連データを取得する。例えば、感知・計画システム１１０は、ＭＰＯＩサーバから位置および経路情報を取得することができ、ＭＰＯＩサーバはサーバ１０３〜１０４の一部である可能である。ロケーションサーバはロケーションサービスを提供し、ＭＰＯＩサーバはマップサービスとあるロケーションのＰＯＩを提供する。代わりに、このような位置およびＭＰＯＩ情報を感知・計画システム１１０の永続記憶装置にローカルキャッシュすることができる。
【００２６】
自動運転車両１０１が経路に沿って移動するときに、感知・計画システム１１０は、交通情報システムまたはサーバ（ＴＩＳ）からリアルタイム交通情報を取得することができる。なお、サーバ１０３〜１０４は第三者のエンティティによって動作されることが可能である。代わりに、サーバ１０３〜１０４の機能を感知・計画システム１１０に集積されてもよい。リアルタイム交通情報、ＭＰＯＩ情報およびロケーション情報、ならびにセンサーシステム１１５によって検出または感知されたリアルタイムローカル環境データ（例えば、障害物、対象物、近くの車両）に基づいて、感知・計画システム１１０は最適経路を計画し、計画された最適経路に従って、例えば、制御システム１１１を介して、安全かつ効率的に指定された目的地に到達するように車両１０１を運転することができる。
【００２７】
サーバ１０３は、様々な顧客に対してデータ分析サービスを実行するためのデータ分析システムであってもよい。一実施形態では、データ分析システム１０３は、データ収集装置１２１と機械学習エンジン１２２とを含む。データ収集装置１２１は、様々な車両（自動運転車両または人間の運転手によって運転される従来の車両）から運転統計データ１２３を収集する。運転統計データ１２３は、出された運転命令（例えば、スロットル、ブレーキ、ステアリング命令）および異なる時点で車両のセンサーによって捕捉された車両の応答（例えば、速度、加速度、減速度、方向）を示す情報を含む。運転統計データ１２３は、ルート（出発地および目的地を含む）、ＭＰＯＩ、道路状況、気象状況などの異なる時点における運転環境を記述する情報を含むこともできる。
【００２８】
また、データ収集装置１２１は、いくつかの車両が様々な道路を走行する軌跡をさらに収集することができ、これらの軌跡は、いくつかの自動運転車両がそれぞれのセンサーを使用して感知することができる。ネットワークを介して自動運転車両から軌跡に関する軌跡情報をクラウドソーシングデータ収集メカニズムの一部として受信することができる。
【００２９】
運転統計データ１２３に基づいて、機械学習エンジン１２２は、様々な目的のために１組のルール、アルゴリズムおよび／または予測モデル１２４を生成または訓練する。一実施形態では、アルゴリズム１２４は、車両の運転挙動を検出または決定し、車両の過去の走行の軌跡に基づいて車線構成を導出するアルゴリズムまたはモデルを含むことができる。次いで、地図更新システム１２５は、アルゴリズム１２４を使用して、自動運転に十分な軌跡情報に対する解析に基づいて、車線基準線などの道路の車線構成を決定することができる。自動運転のためのより高解像度な地図を形成するために、ＡＤＶは、標準的なナビゲーション地図を参照して車線基準線を使用することができる。より高解像度な地図は、道路内の１つ以上の車線の車線基準線などの車線構成情報を含み、ここで、ナビゲーション地図は通常、このような車線構成情報を欠いている。また、ナビゲーション地図から取得された道路基準線と軌跡に基づいて決定された車線基準線との対応関係を記憶するために、車線構成データベースを作成することができる。車線構成データベースは、サーバ１０３によって記憶され、ネットワークを介してリアルタイムでアクセスできる。代わりに、車線構成データベースは自動運転車両にアップロードされ、その後自動運転を行うことができる。
【００３０】
図３Ａと図３Ｂは、一実施形態に係る自動運転車両と共に使用される感知・計画システムの例を示すブロック図である。システム３００は、図１の自動運転車両１０１の一部として実施されることができ、感知・計画システム１１０、制御システム１１１、およびセンサーシステム１１５を含むが、これらに限定されない。図３Ａ〜図３Ｂを参照すると、感知・計画システム１１０は、測位モジュール３０１、感知モジュール３０２、予測モジュール３０３、決定モジュール３０４、計画モジュール３０５、制御モジュール３０６、ルーティングモジュール３０７および地図モジュール３０８を含むが、これらに限定されない。
【００３１】
モジュール３０１〜３０８のうちのいくつかまたはすべては、ソフトウェア、ハードウェア、またはそれらの組み合わせで実施されることが可能である。例えば、これらのモジュールは、永続記憶装置３５２にインストールされ、メモリ３５１にロードされ、そして１つ以上のプロセッサ（図示せず）によって実行されることができる。なお、これらのモジュールのうちのいくつかまたはすべてが、図２の車両制御システム１１１のモジュールのうちのいくつかまたはすべてに通信可能に接続されるかまたはそれらと一体に集積される。モジュール３０１〜３０８のいくつかは、統合モジュールとして一体に集積されてもよい。
【００３２】
測位モジュール３０１、自動運転車両３００の現在位置を（例えば、ＧＰＳユニット２１２を利用し）特定するとともに、ユーザの旅程または経路に関連するいかなるデータを管理する。測位モジュール３０１（地図・ルーティングモジュールとも呼ばれる）は、ユーザの旅程または経路に関連するいかなるデータを管理する。ユーザは、例えば、ユーザインターフェースを介してログインして、旅程の出発地と目的地を指定することができる。測位モジュール３０１は、旅程関連データを取得するために、地図・経路情報３１１などの自動運転車両３００の他の要素と通信する。例えば、測位モジュール３０１は、ロケーションサーバおよび地図およびＰＯＩ（ＭＰＯＩ）サーバからロケーションおよび経路情報を取得することができる。ロケーションサーバはロケーションサービスを提供し、ＭＰＯＩサーバはマップサービスとあるロケーションのＰＯＩを提供することにより、マップおよびルート情報の一部としてキャッシュされる。自動運転車両３００が経路に沿って移動するときに、測位モジュール３０１は、交通情報システムまたはサーバからリアルタイム交通情報を取得することができる。
【００３３】
センサーシステム１１５によって提供されたセンサーデータと測位モジュール３０１によって得られた測位情報とに基づいて、感知モジュール３０２は周囲環境への感知を特定する。感知情報は、普通の運転者が運転者が運転している車両の周りで感知するであろうものを表すことができる。感知は、例えば、対象物の形態の車線構成、信号機信号、他の車両の相対位置、歩行者、建物、横断歩道、または他の交通関連標識（例えば、停止標識、道譲り標識）などを含むことができる。車線構成は、例えば、車線の形状（例えば、直線または屈曲）、車線の幅、道路内の車線数、一方向または両方向の車線、合流または分離車線、退出車線などの1つ以上の車線を記述する情報を含む。
【００３４】
感知モジュール３０２は、１つ以上のカメラによって取得された画像を処理し分析するためのコンピュータビジョンシステムまたはコンピュータビジョンシステムの機能を含むことにより、自動運転車両環境内の対象物および／または特徴を識別することができる。前記対象物は、交通信号、道路境界、他の車両、歩行者および／または障害物などを含む。コンピュータビジョンシステムは、対象物認識アルゴリズム、ビデオ追跡、およびその他のコンピュータビジョン技術を使用できる。いくつかの実施形態では、コンピュータビジョンシステムは、環境地図を描き、物体を追跡し、そして対象物の速度等を推定することができる。感知モジュール３０２は、レーダおよび／またはＬＩＤＡＲなどの他のセンサーによって提供される他のセンサーデータに基づいて対象物を検出することもできる。
【００３５】
各対象物に対し、予測モジュール３０３は、この状況において対象物がどのように動作するかを予測する。予測は、一組の地図・経路情報３１１および交通ルール３１２を考慮した時点で運転環境を感知する感知データに基づいて実行される。例えば、対象物が反対方向の車両であり、且つ、現在の運転環境が交差点を含む場合、予測モジュール３０３は、車両が直進するか、または会見旋回するかを予測する。感知データが交差点に信号機がないことを示す場合、予測モジュール３０３は、交差点に入る前に車両が完全に停止しなければいけない可能性があると予測することがある。感知データが車両が現在左折専用車線または右折専用車線にあることを示す場合、予測モジュール３０３は、車両がそれぞれ左折または右折する可能性が高いと予測することができる。
【００３６】
各対象物に対し、決定モジュール３０４は、対象物をどのように対応するかを決定する。例えば、特定の対象物（例えば、交差ルート内の他の車両）及び対象物を記述するメタデータ（例えば、速度、方向、回転角度）に対し、決定モジュール３０４は、前記対象物に遭遇する時どのように動作するか（例えば、追い越し、道譲り、停止、超過）を決定する。決定モジュール３０４は、永続記憶装置３５２に記憶されることができる交通ルールまたは運転ルール３１２などのルールセットに基づいてこのような決定を下すことができる。
【００３７】
ルーティングモジュール３０７は、出発地から目的地までの１つ以上の経路またはルートを提供するように構成される。例えばユーザから受信した所与の旅程などの出発地から目的地までの所与の旅程に対し、ルーティングモジュール３０７は、地図・経路情報３１１を取得し、出発地から目的地までのすべての可能な経路またはルートを決定する。ルーティングモジュール３０７は、出発地から目的地までの各経路を決定する地形図の形態の基準線を生成することができる。基準線とは、他の車両、障害物、または交通状況などの他のものからの干渉がない理想的な経路またはルートを指す。つまり、道路上に他の車両、歩行者、または障害物がない場合、ＡＤＶは基準線に正確にまたは密接に従うべきである。そして、地形図を決定モジュール３０４および／または計画モジュール３０５に提供する。決定モジュール３０４および／または計画モジュール３０５は、他のモジュールによって提供される他のデータに基づいて最適の経路のうちの１つを選択し変更するためにすべての可能な経路を検査し、ここで、他のデータは、測位モジュール３０１からの交通状況、感知モジュール３０２によって感知された運転環境、および予測モジュール３０３によって予測された交通状況などである。時点での特定の運転環境に応じて、ＡＤＶを制御するための実際の経路またはルートは、ルーティングモジュール３０７によって提供される基準線に近いかまたは異なることがある。
【００３８】
感知された対象物に対する各決定に基づいて、計画モジュール３０５は、基礎としてルーティングモジュール３０７によって提供される基準線を使用することにより、自動運転車両に対し経路またはルートおよび運転パラメータ（例えば、距離、速度および／または旋回角度）を計画する。言い換えれば、所与の対象物に対し、決定モジュール３０４は当該対象物をどうするかを決定し、計画モジュール３０５はどのようにするかを決定する。例えば、所与の対象物に対し、決定モジュール３０４は前記対象物を超過することと決定することができ、計画モジュール３０５は前記対象物の左側または右側のどちらを超過するかを決定することができる。計画・制御データは、計画モジュール３０５によって生成され、車両３００が次の移動サイクル（例えば、次のルート／経路セグメント）においてどのように移動するかを記述する情報を含む。例えば、計画・制御データは、３０マイル/時（ｍｐｈ）の速度で１０メートル移動し、次に２５ｍｐｈの速度で右車線に変更するように車両３００に指示することができる。
【００３９】
計画・制御データに基づいて、制御モジュール３０６は、計画・制御データによって限られた経路またはルートに基づいて適切な命令または信号を車両制御システム１１１に送信することによって自動運転車両を制御し運転する。前記計画・制御データは、十分な情報を含むことにより、経路またはルートに沿って異なる時点で適切な車両設定または運転パラメータ（例えば、スロットル、ブレーキ、および旋回命令）を使用して、経路またはルートの第１の地点から第２の地点まで車両を走行させる。
【００４０】
一実施形態では、計画段階は、複数の計画サイクル（運転サイクルとも呼ばれる）で、例えば各時間間隔１００ミリ秒（ｍｓ）のサイクルで実行される。計画サイクルまたは運転サイクルのそれぞれについて、計画・制御データに基づいて１つ以上の制御命令を発する。すなわち、１００ｍｓごとに、計画モジュール３０５は、例えば対象物位置およびＡＤＶが対象物位置に到達するのに必要な時間を含めて、次のルートセグメントまたは経路セグメントを計画する。代わりに、計画モジュール３０５は、具体的な速度、方向、および／または操舵角などを計画することもできる。一実施形態では、計画モジュール３０５は、次の所定の期間（例えば５秒間）についてルートセグメントまたは経路セグメントを計画する。各計画サイクルに対して、計画モジュール３０５は、前のサイクルで計画された目標位置に基づいて現在のサイクル（例えば次の５秒間）の目標位置を計画する。次に、制御モジュール３０６は、現在のサイクルの計画・制御データに基づいて、１つ以上の制御命令（例えば、スロットル、ブレーキ、ステアリング制御命令）を生成する。
【００４１】
なお、決定モジュール３０４および計画モジュール３０５は集積モジュールとして集積されてもよい。決定モジュール３０４ ／計画モジュール３０５は、自動運転車両の運転経路を決定するためのナビゲーションシステムまたはナビゲーションシステムの機能を含むことができる。例えば、ナビゲーションシステムは、自動運転車両が自動運転車両を最終目的地に至る車道に基づく経路に沿って前進させながら感知された障害物を実質的に避ける経路に沿って移動することを達成するための一連の速度及び進行方向を決定することができる。目的地は、ユーザインタフェースシステム１１３を介したユーザ入力に従って設定されることができる。ナビゲーションシステムは、自動運転車両の運転中に運転経路を動的に更新することができる。ナビゲーションシステムは、ＧＰＳシステムと１つ以上の地図からのデータを組み合わせることにより、自動運転車両の運転経路を決定することができる。
【００４２】
一実施形態によれば、地図モジュール３０８は、モジュール３０１〜モジュール３０７などの他のモジュールに対し地図サービスを提供するように構成されている。出発地から目的地までの経路を作成する要求に応答して、地図モジュール３０８は、ナビゲーション地図の地図セグメントを識別し決定するように構成され、当該地図セグメントは、地図・経路情報３１１の一部として記憶されることができる。地図モジュール３０８は、ナビゲーション地図から、出発地と目的地との間の道路の道路基準線を得ることができる。地図モジュール３０８は、道路基準線に基づいて、車線構成データベース３１３において検索を実行することによって、道路内の１つ以上の車線に関連する１つ以上の車線基準線を得る。モジュール３０１〜モジュール３０７は、当該車線基準線を利用して経路を計画し、経路に従って車両を自動的に運転することができる。
【００４３】
一実施形態では、一例として、図４に示すように、車線構成データベース３１３は幾つかのエントリを含む。各エントリはいずれも道路の特定の道路基準線または道路ＩＤを道路内の１つ以上の車線に関連する１つ以上の車線基準線にマッピングする。車線構成データベース３１３は、サーバ１０３などのデータ解析サーバによって、過去の感知データ（いくつかの車両がいくつかの道路を通過するように走行する過去の軌跡など）に基づいて生成されることができる。感知データまたは軌跡は、同じ道路を走行するＡＤＶなどの他の車両によって捕捉されることができる。図５に示すように、感知データを捕捉する車両の各々は、いずれも、クラウドソーシング方式で、ネットワークを介して感知データを中央サーバ１０３に送信するように構成されている。
【００４４】
中央サーバ１０３が感知データを解析することによって道路の車線構成を決定することは、道路内の車線に関連する車線基準線を生成することを含む。この解析に基づいて、車線構成データベース３１３を作成し、次いで、リアルタイムで自動運転するために、車線構成データベース３１３をＡＤＶにアップロードする。なお、車線構成データベース３１３は、サーバから定期的に更新または同期され、車両内にキャッシュされることができる。代わりに、地図モジュール３０８は、特定の道路基準線に応答して、ネットワークを介してリモートサーバに動的にアクセスすることによって、１つ以上の車線基準線を取得するように構成されている。
【００４５】
図６は、一実施形態による地図更新システムの例を示すブロック図である。図６を参照すると、地図更新システム１２５は、軌跡解析モジュール５０１、車線基準線生成器５０２、及び選択可能な地図更新モジュール５０３を含むが、これらに限定されない。一実施形態によれば、軌跡解析モジュール５０１は、車両軌跡データベース５１２に記憶された軌跡データを解析するように構成される。車両軌跡データベース５１２に記憶された軌跡データは、多くの車両（例えばＡＤＶ）から収集されることができ、これらの車両は、例えば分散方式またはクラウドソーシング方式で、他の車両がさまざまな道路のさまざまな道路セグメントをどのように通過するかを感知する。
【００４６】
一実施形態では、一般的なナビゲーション地図５１１から・BR>ッ別された道路の所与の道路セグメントについて、軌跡解析モジュール５０１は、車両軌跡データベース５１２から、同じ道路セグメントを通過するように走行する幾つかの車両の運転パターンを示す一組の軌跡を決定する。次に、解析モジュール５０１は、一組の解析ルール（またはアルゴリズムまたは予測モデル）５１３を使用して、道路セグメントに関連する軌跡を解析することによって、車両の運転挙動またはパターンを決定する。例えば、ルールおよび／またはアルゴリズム１２４の一部として、ルール５１３は、データコレクタ１２１によって過去に収集された大量の運転統計データ１２３に基づいて、機械学習エンジン（例えば、機械学習エンジン１２２）によってトレーニングおよび生成されることができる。
【００４７】
車両の運転挙動に基づいて、車線基準線生成器５０２（車線構成決定モジュールとも呼ばれる）は、道路セグメントを有する車線の数を決定するように構成されている。各車線については、車線基準線生成器５０２は、車線に対応する軌跡に基づいて基準線を計算する。例えば、車線基準線生成器５０２は、同じ車線内の全ての軌跡の平均軌跡を計算することによって車線基準線を表すことができる。一実施形態では、車線基準線を計算する前に、外れた軌跡の幾つかを考慮の上で削除することができる。また、車線基準線を計算する前に軌道を滑らかにするために、多項式フィッティングなどの平滑化動作を実行することができる。
【００４８】
次に、決定された基準線を車線構成データベース５１４に記憶する。一実施形態では、車線構成データベース５１４はいくつかのエントリを含む。各エントリはいずれも特定の道路基準線（または特定の道路基準線を識別する道路基準線ＩＤ）を１つ以上の車線基準線（または車線基準線を識別する車線基準線ＩＤ）にマッピングする。ＨＤ地図を使用せずに、自動運転するために、車線構成データベース５１４をＡＤＶにアップロードすることができる。代わりに、ＡＰＩを保存することによって、ＡＤＶのいずれかが自動運転期間に車線構成データベース５１４にリアルタイムでアクセスできるようにする。選択肢として、地図更新モジュール５０３は、車線構成に基づいて標準的なナビゲーション地図を更新することによって、自動運転に十分な高解像度な地図を生成することができる。
【００４９】
図７Ａを参照すると、図７Ａは、標準的なナビゲーション地図によって通常提供される道路セグメントを示す。ナビゲーション地図は、通常、例えば道路基準線、道路幅、道路が高速道路であるか地方道路であるかなどの道路セグメントに関する道路レベル情報のみを提供することができる。ナビゲーション地図は、車線の数や車線の車線幅などの車線構成を提供しない。
【００５０】
図７Ｂは、ナビゲーション地図の道路セグメントに投影された軌跡を示し、これらの軌跡は、いくつの車両が一定期間にわたって同じ道路セグメントを通過するように走行した経路を表す。軌跡は、自動運転車両のようないくつかの車から中央サーバで受信されることができ、ここで、それらの車両は、車両に取り付けられたセンサ（例えば、カメラ）を使用して、他の車両が同じ道路セグメントをどのように通過したかを感知する。それらは、それらのセンサを使用して、当該道路セグメントを通過するように走行する他の車両の軌跡も捕捉した。捕捉された軌跡は、例えばサーバに記憶された軌跡データの一部として、一定の処理の後に軌跡を記述する軌跡メタデータの形で中央サーバに送信される。代わりに、軌道に対する処理は、中央サーバで実行されてもよく、ここで、車両は、感知された環境の画像をサーバに簡単に送信してもよい。しかし、このような構成は、より高いネットワーク帯域幅とより大きな記憶スペースを必要とする可能性がある。
【００５１】
一実施形態によれば、この例では、解析モジュール５０１は、道路セグメント７００内の第１の軌跡グループ７０１および第２の軌跡グループ７０２を検出することができる。２つのグループのほとんどの軌跡が２つの主流に分かれることに基づいて、当該グループの解析ルールを使用して、道路７００内には２つの車線、すなわち、車線７１１と車線７１２が存在する可能性があると推定することができる。軌跡グループ７０１〜７０２の各グループについて、例えば、全ての軌跡の中の平均軌跡を計算することによって、例えば図７Ｃに示す車線基準線７２１〜車線基準線７２２のような車線基準線が計算される。
【００５２】
また、一実施形態によれば、例えば、検出された車線を均等に分割することによって、各車線の車線幅を決定してもよい。なお、例えば軌跡を測定することによって、最も左または最も右の車線の車線境界を決定することができる。例えば、軌跡の最も左および最も右の点の位置を測定することによって、頂点に緩衝量またはマージンを加えることによって車線境界を取得することができる。なお、運転挙動に基づいて、システムは、特定のエリアの周りで車線を変更しないことを検出することができる。すなわち、このエリアの周りで車線を変更した車両が存在しない。したがって、車線分離物のような静止物体が必ず存在し、当該車線分離物は、車線の横切りを防止することができる。このようなエリアは、地図上で車線の変更を許可しないことを示す。一方、周りで十分な緩衝エリアを追加することによって、当該軌跡に基づいて変更不可能エリアの周りで車線変更可能領域をラベル付けすることもできる。
【００５３】
同様に、当該軌跡に基づいて道路セグメントの交差点を検出してもよい。例えば、道路の特定の位置に左または右に曲がる軌跡があるが、他の軌跡がまっすぐに進む場合、そこに交差点がある可能性があると合理的に想定できる。別の例では、カメラによって取得された画像には歩行者が示され、ほとんどまたは全ての車両がその位置で停止することを軌跡が示している場合、そこに歩行者横断歩道がある可能性があると合理的に想定できる。さらなる例では、システムがほとんどまたはすべての車両が特定の位置に数秒間停止してから移動を再開することを検出した場合、その位置に停止線または停止標識がある可能性があると合理的に想定できる。これらの発見は、車線構成情報の一部として記録されることができる。
【００５４】
なお、軌跡は感知データの一例として利用される。本発明で記載された技術は、様々な車両の様々な過去の運転挙動および統計データに基づいて低解像度地図を更新して、自動運転に十分な高解像度地図になるためにも利用されることができる。
【００５５】
図８は、一実施形態に係る道路の車線構成を生成するプロセスの一例を示すフローチャートである。プロセス８００は、ソフトウェア、ハードウェアまたはそれらの組み合わせを含む処理ロジックによって実行されることができる。例えば、プロセス８００は、地図更新システム１２５によって実行されることができる。図８を参照すると、動作８０１では、処理ロジックは、道路セグメントを通過するように走行する一組の車両に関連する一組の軌跡を受信する。クラウドソーシング方式で、同じ道路セグメントを通過するように走行する他の車両を観察する様々な車両から、軌跡を収集することができる。動作８０２では、処理ロジックは、軌跡を軌跡解析することによって、車両の運転挙動を決定する。動作８０３では、処理ロジックは、運転挙動に基づいて、各車線の道路セグメント内の車線数、車線幅、車線基準線などの当該道路セグメントの車線構成を決定する。動作８０４では、車線構成を記述する車線メタデータまたは車線構成情報が生成される。動作８０５では、車線構成情報を車線構成データベースに記憶し、ここで、車線構成データベースは、その後、リアルタイムで自動運転するために利用される。
【００５６】
図９は、一実施形態に係る車線構成を地図サービスの一部として提供するプロセスを示すフローチャートである。プロセス９００は、ソフトウェア、ハードウェアまたはそれらの組み合わせを含む処理ロジックによって実行されることができる。例えば、サービスプラットフォームは車線構成データベースを使用してプロセス９００を実行することができ、ここで、当該車線構成データベースは、高解像度地図を使用しない過去の軌跡に基づいて作成された。図９を参照すると、動作９０１では、処理ロジックは、ＡＤＶから車線構成に対する要求を受信し、ここで、当該要求はルートの道路の始点と終点を含む。動作９０２では、選択肢として、処理ロジックは、ナビゲーション地図をもとで始点と終点に基づいて道路基準線を決定し、例えば、始点と終点をナビゲーション地図の対応する地図セグメント上に投影することによって、道路基準線を決定する。動作９０３では、道路または道路基準線の始点と終点に基づいて、処理ロジックは、車線構成データベースを照会することによって、対応する１つ以上の車線基準線を識別し検索する。動作９０４では、処理ロジックは、車線基準線を記述する車線メタデータをＡＤＶに送信することによって、ＡＤＶが当該車線基準線を利用して自動運転を行うことを可能にする。
【００５７】
図１０は、一実施形態に係る道路の車線構成を生成するプロセスの一例を示すフローチャートである。プロセス１０００は、ソフトウェア、ハードウェアまたはそれらの組み合わせを含む処理ロジックによって実行されることができる。プロセス１０００は、ＡＤＶの計画・制御システム１１０によって実行されることができる。図１０を参照すると、動作１００１では、処理ロジックは、道路セグメントの始点と終点をＡＤＶのルートの一部として決定する。動作１００２では、選択肢として、処理ロジックは、道路セグメントに対応するナビゲーション地図の地図セグメントをもとで始点と終点に基づいて道路セグメントの道路基準線または道路構成を決定する。動作１００３では、処理ロジックは、ネットワークを介して、始点と終点（または道路基準線や道路構成）をリモートサーバに送信して、道路セグメントの車線構成を検索する。動作１００４では、処理ロジックは、リモートサーバから車線構成を受信する。車線構成は、道路セグメント内の１つ以上の車線に関連する１つ以上の車線基準線を含む。動作１００５では、処理ロジックは、車線構成に基づいて経路を計画することによって、ＡＤＶを始点と終点からナビゲートするように運転する。
【００５８】
なお、上述のように記載され説明された要素のいくつかまたはすべては、ソフトウェア、ハードウェア、またはそれらの組合せで実施されることが可能である。例えば、このような要素は、永続記憶装置にインストールされ記憶されるソフトウェアとして実施されることができ、前記ソフトウェアは、プロセッサ（図示せず）によってメモリにロードされ、メモリ内で実行されることにより、本願を通じて説明されるプロセスまたは動作を実施することができる。代わりに、このような要素は、（集積回路（例えば、特定用途向け集積回路またはＡＳＩＣ）、デジタル信号プロセッサ（ＤＳＰ）、またはフィールドプログラマブルゲートアレイ（ＦＰＧＡ）などの専用ハードウェアにプログラムされまたは埋め込まれる実行可能コードとして実施されることができ、前記実行可能コードは、アプリケーションからの対応するドライバおよび／またはオペレーティングシステムを介してアクセスすることができる。また、このような要素は、ソフトウェア要素によって１つ以上の特定の命令を介してアクセスすることができる命令セットの一部として、プロセッサまたはプロセッサコア内の特定のハードウェアロジックとして実施されることが可能である。
【００５９】
図１１は、本発明の一実施形態と共に使用されることができるデータ処理システムの一例を示すブロック図である。例えば、システム１５００は、上記プロセスまたは方法のうちのいずれかを実行する上記のデータ処理システムのうちのいずれかを表すことができ、例えば、感知・計画システム１１０または図１のサーバ１０３〜１０４のいずれかを挙げられる。システム１５００は多くの異なる要素を含むことができる。これらの要素は、集積回路（ＩＣ）、集積回路の一部、個別電子デバイス、または回路基板（コンピュータシステムのマザーボードまたはアドインカードなど）に適した他のモジュールとして実施されることが可能であり、あるいは他の形態でコンピュータシステムのラックに組み込まれる要素として実施されることが可能である。
【００６０】
なお、システム１５００は、コンピュータシステムの多くの要素の高レベルビューを示すことを意図している。しかしながら、いくつかの実施形態では、追加の要素を有してもよく、また、他の実施形態では、示されている要素の異なる構成を有してもよいことを理解すべきである。システム１５００は、デスクトップパソコン、ラップトップパソコン、タブレットコンピュータ、サーバ、携帯電話、メディアプレーヤ、パーソナルデジタルアシスタント（ＰＤＡ）、スマートウォッチ、パーソナルコミュニケータ、ゲーム装置、ネットワークルータまたはハブ、ワイヤレスアクセスポイント（ＡＰ）またはリピーター、セットトップボックスあるいはそれらの組み合わせを表示することができる。また、単一の機械またはシステムのみが示されているが、「機械」または「システム」という用語は、本明細書で検討されている任意の１種類または複数の種類の方法を実行するために、１つ（または複数）の命令セットを個別でまたは共同で実行するための機械またはシステムの任意の組み合わせも含むと理解されるべきである。
【００６１】
一実施形態では、システム１５００は、バスまたはインターコネクト１５１０を介して接続されたプロセッサ１５０１、メモリ１５０３、および装置１５０５〜１５０８を含む。プロセッサ１５０１は、単一のプロセッサコアまたは複数のプロセッサコアを含む単一のプロセッサまたは複数のプロセッサを示してもよい。プロセッサ１５０１は、マイクロプロセッサ、中央処理装置（ＣＰＵ）などの１つまたは複数の汎用プロセッサを示してもよい。より具体的には、プロセッサ１５０１は、複雑命令セット計算（ＣＩＳＣ）マイクロプロセッサ、縮小命令セット計算（ＲＩＳＣ）マイクロプロセッサ、超長命令語（ＶＬＩＷ）マイクロプロセッサ、他の命令セットを実行するプロセッサ、または命令セットの組み合わせを実行するプロセッサであってもよい。プロセッサ１５０１は、また、特定用途向け集積回路（ＡＳＩＣ）、セルラまたはベースバンドプロセッサ、フィールドプログラマブルゲートアレイ（ＦＰＧＡ）、デジタル信号プロセッサ（ＤＳＰ）、ネットワークプロセッサ、グラフィックスプロセッサ、通信プロセッサ、暗号化プロセッサ、コプロセッサ、組み込みプロセッサ、または命令を処理できるその他のタイプのロジックなどの１つまたは複数の専用プロセッサであってもよい。 
【００６２】
プロセッサ１５０１（これは、超低電圧プロセッサなどの低電力マルチコアプロセッサソケットであってもよい）は、前記システムの様々な要素と通信するための主処理ユニットおよび中央ハブとして機能することができる。このようなプロセッサは、システムオンチップ（ＳｏＣ）として実装されてもよい。プロセッサ１５０１は、本明細書で論じられる動作およびステップを実行するための命令を実行するように構成される。システム１５００は、オプションのグラフィックサブシステム１５０４と通信するグラフィックインタフェースを含んでもよく、グラフィックサブシステム１５０４は、ディスプレイコントローラ、グラフィックプロセッサおよび／またはディスプレイデバイスを含み得る
【００６３】
プロセッサ１５０１はメモリ１５０３と通信することができ、一実施形態では、メモリ１５０３は複数のメモリデバイスを介して、所与の量のシステムストレージを提供するように作動する。メモリ１５０３は、ランダムアクセスメモリ（ＲＡＭ）、ダイナミックＲＡＭ（ＤＲＡＭ）、同期ＤＲＡＭ（ＳＤＲＡＭ）、スタティックＲＡＭ（ＳＲＡＭ）、または他のタイプの記憶装置などの１つまたは複数の揮発性記憶（またはメモリ）装置を含むことができる。メモリ１５０３は、プロセッサ１５０１または他の任意の装置によって実行される一連の命令を含む情報を記憶することができる。例えば、さまざまなオペレーティングシステム、デバイスドライバ、ファームウェア（例えば、入出力基本システムまたはＢＩＯＳ）および／またはアプリケーションの実行可能コードおよび／またはデータをメモリ１５０３にロードし、プロセッサ１５０１によって実行することができる。オペレーティングシステムは、例えば、ロボットオペレーティングシステム（ＲＯＳ）、マイクロソフト（登録商標）からのウィンドウズ（登録商標）オペレーティングシステム、アップルからのマックＯＳ（登録商標）／ iＯＳ（登録商標）、グーグル（登録商標）からのアンドロイド（登録商標）、リナックス、 ＵＮＩＸ、またはその他のリアルタイムまたは組み込みオペレーティングシステムなどの任意のタイプのオペレーティングシステムであってもよい。
【００６４】
システム１５００は、ネットワークインターフェースデバイス１５０５、選択可能な入力デバイス１５０６、および他の選択可能なＩＯデバイス１５０７を含む、デバイス１５０５〜１５０８などのＩＯデバイスも含むことができる。ネットワークインターフェースデバイス１５０５は、無線送受信機および／またはネットワークインターフェースカード（ＮＩＣ）を含み得る。前記無線送受信機は、ＷｉＦｉ送受信機、赤外線送受信機、ブルートゥース送受信機、ＷｉＭａｘ送受信機、無線セルラー携帯電話送受信機、衛星送受信機（例えば全地球測位システム（ＧＰＳ）送受信機）、他の無線周波数（ＲＦ）送受信機またはそれらの組み合わせであってもよい。ＮＩＣはイーサネットカードであってもよい。
【００６５】
入力装置１５０６は、マウス、タッチパネル、（ディスプレイ装置１５０４と統合することができる）タッチセンシティブスクリーン、（スタイラスなどの）ポインティングデバイスおよび／またはキーボード（例えば、物理的キーボードまたはタッチセンシティブスクリーンの一部として表示される仮想キーボード）を含み得る。例えば、入力装置１５０６は、タッチスクリーンに接続されたタッチスクリーンコントローラを含み得る。タッチスクリーンおよびタッチスクリーンコントローラは、例えば、複数の種類のタッチ感度技術（容量式、抵抗式、赤外線式、および表面弾性波式の技術を含むがこれらに限定されない）のいずれか、および、他の近接センサーアレイまたはタッチスクリーンと接触する１つまたは複数の点を決定するための他の要素を用いて、その接触および移動または不連続性を検出できる。
【００６６】
ＩＯデバイス１５０７はオーディオデバイスを含むことができる。音声装置は、音声認識、音声コピー、デジタル録音および／または電話機能などの音声対応機能を容易にするために、スピーカおよび／またはマイクロフォンを含むことができる。他のＩＯデバイス１５０７は、ユニバーサルシリアルバス（ＵＳＢ）ポート、パラレルポート、シリアルポート、プリンタ、ネットワークインターフェース、バスブリッジ（例えば、ＰＣＩ ? ＰＣＩブリッジ）、センサー（例えば、加速度計モーションセンサー、ジャイロ、磁力計、光センサー、コンパス、近接センサーなど）またはそれらの組み合わせをさらに含み得る。ＩＯデバイス１５０７は画像処理サブシステム（例えば、カメラ）をさらに含むことができ、前記画像処理サブシステムは、（写真およびビデオセグメントの記録などの）カメラ機能を容易にするための電荷結合素子（ＣＣＤ）または相補型金属酸化膜半導体（ＣＭＯＳ）光センサーなどの光センサーを含むことができる。特定のセンサーはセンサーハブ（図示せず）を介してインターコネクト１５１０に接続されることができ、キーボードまたは熱センサーなどの他の装置はシステム１５００の特定の構成または設計に応じて埋め込みコントローラ（図示せず）によって制御されることができる。
【００６７】
データ、アプリケーション、１つまたは複数のオペレーティングシステムなどの情報の永続記憶を提供するために、大容量記憶装置（図示せず）もプロセッサ１５０１に接続することができる。様々な実施形態において、より薄くより軽いシステム設計を可能にし、かつシステムの応答性を改善するために、このような大容量記憶装置はソリッドステートデバイス（ＳＳＤ）を介して実施されることができる。しかしながら、他の実施形態では、大容量記憶装置は、主にハードディスクドライブ（ＨＤＤ）を使用して実施することができ、ここで、少数のＳＳＤ記憶装置はＳＳＤキャッシュとして機能してパワーダウン事件中にコンテキスト状態および他のこのような情報の不揮発性記憶を可能にすることにより、システムアクティビティの再起動時に高速のパワーアップを可能にする。また、フラッシュ装置は、例えばシリアル周辺インターフェース（ＳＰＩ）を介してプロセッサ１５０１に接続されてもよい。このようなフラッシュ装置は、前記システムのＢＩＯＳおよび他のファームウェアを含むシステムソフトウェアの不揮発性記憶を提供してもよい。
【００６８】
記憶装置１５０８は、コンピュータがアクセス可能な記憶媒体１５０９（機械可読記憶媒体またはコンピュータ可読媒体とも呼ばれる）を含むことができ、その中に本明細書に記載の方法または機能のうちの任意の１つまたは複数を表す１つまたは複数の命令セットまたはソフトウェア（例えば、モジュール、ユニットおよび/またはロジック１５２８）が記憶される。処理モジュール／ユニット／ロジック１５２８は、上記要素のうちのいずれかを表すことができ、例えば計画モジュール３０５、制御モジュール３０６または地図更新システム１２５を表すことができる。処理モジュール／ユニット／ロジック１５２８は、それがデータ処理システム１５００、メモリ１５０３およびプロセッサ１５０１によって実行される期間に、メモリ１５０３内および／またはプロセッサ１５０１内に完全的にまたは少なくとも部分的に存在でき、データ処理システム１５００、メモリ１５０３およびプロセッサ１５０１は、機械がアクセス可能な記憶媒体を構成することもできる。処理モジュール／ユニット／ロジック１５２８はさらに、ネットワークによってネットワークインターフェースデバイス１５０５を介して送信または受信することができる。
【００６９】
コンピュータ可読記憶媒体１５０９を使用して、上記のいくつかのソフトウェア機能を永続的に記憶することもできる。例示的な実施形態では、コンピュータ可読記憶媒体１５０９は単一の媒体として示されているが、「コンピュータ可読記憶媒体」という用語は前記１つまたは複数の命令セットを記憶する単一の媒体または複数の媒体（例えば、集中型または分散型データベースおよび／または関連付けられるキャッシュとサーバー）を含むと解釈されるべきである。「コンピュータ可読記憶媒体」という用語はまた、命令セットを記憶または符号化することができる任意の媒体を含むと解釈されるべきであり、前記命令セットは、機器による実行に使用され、前記機器に本発明の方法のうちの任意の１つまたは複数を実行させる。したがって、「コンピュータ可読記憶媒体」という用語は、ソリッドステートメモリ、ならびに光媒体および磁気媒体、または他の任意の非一時的な機械可読媒体を含むが、これらに限定しないと解釈されるべきである。
【００７０】
本明細書に記載の処理モジュール／ユニット／ロジック１５２８、要素および他の特徴は、個別のハードウェア要素として実施され、または（ＡＳＩＣ、ＦＰＧＡ、ＤＳＰ、または同様のデバイスなど）のハードウェア要素の機能に統合されることができる。また、処理モジュール／ユニット／ロジック１５２８は、ハードウェアデバイス内のファームウェアまたは機能回路として実施されることができる。さらに、処理モジュール／ユニット／ロジック１５２８は、ハードウェアデバイスとソフトウェア要素との任意の組み合わせで実施されることができる。
【００７１】
システム１５００はデータ処理システムの様々な要素を有するように示されているが、要素を相互接続する任意の特定のアーキテクチャまたは方法を表すことを意図しない。これは、このような詳細と本発明の実施形態とは密接な関係がないからである。本発明の実施形態と共に、より少ない要素またはおそらくより多くの要素を有するネットワークコンピュータ、ハンドヘルドコンピュータ、携帯電話、サーバおよび／または他のデータ処理システムも本発明の実施形態とともに使用され得ることも理解されるべきである。
【００７２】
前述の詳細な説明のいくつかの部分は、コンピュータメモリ内のデータビットに対する計算のアルゴリズムおよび記号表現に従って提示されてきた。これらのアルゴリズムの説明および表現は、データ処理分野の当業者が彼らの仕事の本質を他の当業者に最も効果的に伝えるために使用する方法である。本明細書では、アルゴリズムは、一般的に、所望の結果をもたらす自己矛盾のない一連の動作であると考えられる。これらの動作は、物理量の物理的動作を必要とするものである。
【００７３】
しかしながら、これらの用語および類似の用語はすべて適切な物理量に関連付けられるように意図され、これらの量に適用される便利なラベルにすぎないことに留意されたい。上記の説明において他の形態で明示的に述べられていない限り、明細書全体において、用語（添付の特許請求の範囲に記載の用語など）を利用した説明とは、コンピュータシステムまたは類似の電子計算装置の動作およびプロセスを指すことを理解しべきであり、前記コンピュータシステムまたは電子計算装置は、コンピュータシステムのレジスタおよびメモリ内の物理（電子）量として表されるデータを動作し、前記データをコンピュータシステムのメモリまたはレジスタまたは他のこのような情報記憶装置、伝送または表示装置内の類似に物理量として表される他のデータに変換する。
【００７４】
本発明の実施形態は、本明細書の動作を実行するための装置にも関する。そのようなコンピュータプログラムは、非一時的コンピュータ可読媒体に記憶される。機械可読媒体は、機械（例えばコンピュータ）可読な形式で情報を記憶するための任意のメカニズムを含む。例えば、機械可読（例えばコンピュータ可読）媒体は、機械（例えばコンピュータ）可読記憶媒体（例えば、読み出し専用メモリ（「ＲＯＭ」）、ランダムアクセスメモリ（「ＲＡＭ」）、ディスク記憶媒体、光記憶媒体、フラッシュメモリ装置）を含む。
【００７５】
前述の図面に示したプロセスまたは方法は、ハードウェア（例えば、回路、専用ロジックなど）、ソフトウェア（例えば、非一時的コンピュータ可読媒体上に反映される）、またはその両方の組み合わせを含む処理ロジックによって実行されることができる。前記プロセスまたは方法は、いくつかの逐次的な動作に従って上で説明されているが、前記動作のいくつかは異なる順序で実行されてもよいことを理解されたい。さらに、いくつかの動作は、順次ではなく並列に実行されてもよい。
【００７６】
本発明の実施形態は、任意の特定のプログラミング言語を参照して説明されていない。様々なプログラミング言語を使用することにより、本明細書に記載の本発明の実施形態の教示を実施することができることを理解しべきである。
【００７７】
上記の明細書において、本発明の実施形態を本発明の具体の例示的な実施形態を参照して説明した。添付の特許請求の範囲に記載された本発明のより広い要旨および範囲から逸脱することなく、本発明に対して様々な修正がなされ得ることは明らかである。したがって、本明細書および図面は限定的な意味ではなく例示的な意味で理解されるべきである。  
【図１】
2020064611.tif 000003
【図２】
2020064611.tif 000004
【図３Ａ】
2020064611.tif 000005
【図３Ｂ】
2020064611.tif 000006
【図４】
2020064611.tif 000007
【図５】
2020064611.tif 000008
【図６】
2020064611.tif 000009
【図７Ａ】
2020064611.tif 000010
【図７Ｂ】
2020064611.tif 000011
【図７Ｃ】
2020064611.tif 000012
【図８】
2020064611.tif 000013
【図９】
2020064611.tif 000014
【図１０】
2020064611.tif 000015
【図１１】
2020064611.tif 000016
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
自動運転のための道路の車線構成を生成するためのコンピュータ実施方法であって、
一定期間にわたって道路の道路セグメントを通過するようにナビゲートする複数の車両が走行する一組の軌跡を記述する感知データを受信することと、
一組のルールを使用して、前記軌跡を解析することによって、前記道路セグメント内の１つ以上の車線を決定することと、
前記１つ以上の車線の各々について、前記車線内の前記軌跡に基づいて、前記車線に関連する車線基準線を計算することと、
前記道路セグメントに対応する前記１つ以上の車線の車線基準線を車線構成データベースに記憶することと、
を含み、
ここで、前記車線基準線は、高解像度地図を使用せずに前記道路セグメントを通過するように車両を自動運転するために利用される、
方法。
【請求項２】
前記車両が前記道路セグメントを通過するように走行するときに、複数の自動運転車両の１つ以上のセンサーによって前記軌跡を観測する請求項１に記載の方法。
【請求項３】
前記車線構成データベースは、複数の道路の複数の道路セグメントの複数の車線基準線を記憶し、ここで、前記車線基準線の各々は、高解像度地図を使用せずに対応する道路セグメントを通過するようにナビゲートする車両の過去の軌跡に基づいて生成される請求項１に記載の方法。
【請求項４】
前記車線内の前記軌跡に基づいて、前記車線に関連する車線基準線を計算することは、
前記軌跡のうちの残りの軌跡から著しく外れた任意の軌跡を削除することと、
平滑化動作を実行することによって前記残りの軌跡を平滑化することと、
平滑化された軌道のうちの平均軌跡を計算することによって前記車線基準線を表すことと、
を含む請求項１に記載の方法。
【請求項５】
前記車両の軌跡に基づいて、前記道路セグメント内の前記車線の各々の車線幅を決定することをさらに含み、ここで、前記車線幅は前記車線構成データベースに記憶されている請求項１に記載の方法。
【請求項６】
ネットワークを介して自動運転車両から第２道路セグメントの車線基準線に対する要求を受信することと、
前記第２道路セグメントに基づいて前記車線構成データベースを照会することによって、前記第２道路セグメントに関連する１つ以上の車線基準線を検索することと、
検索された車線基準線を前記自動運転車両に送信することと、
をさらに含む請求項１に記載の方法。
【請求項７】
前記要求は、前記第２道路セグメントに関連する道路基準線の始点と終点を含み、ここで、前記道路基準線は、前記車線構成データベースを照会することによって前記車線基準線を検索するためのものである請求項６に記載の方法。
【請求項８】
前記車線構成データベースは複数のマッピングエントリを含み、ここで、各マッピングエントリはいずれも特定の道路基準線を１つ以上の車線基準線にマッピングする請求項６に記載の方法。
【請求項９】
命令が記憶されている非一時的な機械可読媒体であって、
前記命令がプロセッサによって実行される場合に、
一定期間にわたって道路の道路セグメントを通過するようにナビゲートする複数の車両が走行する一組の軌跡を記述する感知データを受信することと、
一組のルールを使用して、前記軌跡を解析することによって、前記道路セグメント内の１つ以上の車線を決定することと、
前記１つ以上の車線の各々について、前記車線内の前記軌跡に基づいて、前記車線に関連する車線基準線を計算することと、
前記道路セグメントに対応する前記１つ以上の車線の前記車線基準線を車線構成データベースに記憶することと、
を前記プロセッサに実行させ、
ここで、前記車線基準線は、高解像度地図を使用せずに前記道路セグメントを通過するように車両を自動運転するために利用される、
非一時的な機械可読媒体。
【請求項１０】
前記車両が前記道路セグメントを通過するように走行するときに、複数の自動運転車両の１つ以上のセンサーによって前記軌跡を観測する請求項９に記載の非一時的な機械可読媒体。
【請求項１１】
前記車線構成データベースは、複数の道路の複数の道路セグメントの複数の車線基準線を記憶し、ここで、前記車線基準線の各々は、高解像度地図を使用せずに対応する道路セグメントを通過するようにナビゲートする車両の過去の軌跡に基づいて生成される請求項９に記載の非一時的な機械可読媒体。
【請求項１２】
前記車線内の前記軌跡に基づいて、前記車線に関連する車線基準線を計算することは、
前記軌跡のうちの残りの軌跡から著しく外れた任意の軌跡を削除することと、
平滑化動作を実行することによって前記残りの軌跡を平滑化することと、
平滑化された軌道のうちの平均軌跡を計算することによって前記車線基準線を表すことと、
を含む、
請求項９に記載の非一時的な機械可読媒体。
【請求項１３】
前記動作は、前記車両の軌跡に基づいて、前記道路セグメント内の前記車線の各々の車線幅を決定することをさらに含み、ここで、前記車線幅は前記車線構成データベースに記憶されている請求項９に記載の非一時的な機械可読媒体。
【請求項１４】
前記動作は、
ネットワークを介して自動運転車両から第２道路セグメントの車線基準線に対する要求を受信することと、
前記第２道路セグメントに基づいて前記車線構成データベースを照会することによって、前記第２道路セグメントに関連する１つ以上の車線基準線を検索することと、
検索された車線基準線を前記自動運転車両に送信することと、
をさらに含む、
請求項９に記載の非一時的な機械可読媒体。
【請求項１５】
前記要求は、前記第２道路セグメントに関連する道路基準線の始点と終点を含み、ここで、前記道路基準線は、前記車線構成データベースを照会することによって前記車線基準線を検索するためのものである請求項１４に記載の非一時的な機械可読媒体。
【請求項１６】
前記車線構成データベースは複数のマッピングエントリを含み、ここで、各マッピングエントリはいずれも特定の道路基準線を１つ以上の車線基準線にマッピングする請求項１４に記載の非一時的な機械可読媒体。
【請求項１６】
プロセッサと、前記プロセッサに接続されて命令を記憶するメモリとを含むデータ処理システムであって、
前記命令がプロセッサによって実行され場合に、
自動運転車両が複数の障害物を含む関心領域内で移動するときに、前記自動運転車両に取り付けられた１つ以上のセンサーから前記障害物の障害物情報と前記自動運転車両の車両データとを含むセンサーデータを収集することと、
前記車両データが捕捉された現在時刻を利用して前記車両データのそれぞれにタイムスタンプを付与することにより、前記車両データに対応する複数のタイムスタンプを生成することと、
前記障害物情報、前記車両データ、および対応するタイムスタンプを少なくとも部分的に将来の障害物挙動および前記自動運転車両の車両運動を予測するために後で使用される一組のパラメータをトレーニングするために使用されるトレーニングデータに集約することと、
を前記プロセッサに実行させるデータ処理システム。
【請求項１７】
自動運転車両を動作するためのコンピュータ実施方法であって、
ナビゲーション地図に基づいて、出発地と目的地とを結ぶ１つ以上の道路を決定することと、
前記出発地から前記目的地までの前記道路の各々について、前記ナビゲーション地図から道路基準線を取得し、前記道路基準線に基づいて車線構成データベースにアクセスすることによって、前記道路内の１つ以上の車線に関連する１つ以上の車線基準線を識別し検索することと、
前記１つ以上の道路の前記車線基準線に基づいてルートを計画することと、
前記ルートに従って前記自動運転車両を前記出発地から前記目的地まで自動運転することと、
を含む方法。
【請求項１８】
車線構成データベースにアクセスすることは、
ネットワークを介して前記道路基準線を前記車線構成データベースが記憶されているリモートサーバに送信することと、
ネットワークを介して前記リモートサーバから前記１つ以上の車線基準線を受信することと、
を含む、
請求項１７に記載のコンピュータ実施方法。
【請求項１９】
前記リモートサーバは、高解像度地図を使用せずに、前記道路基準線に基づいて、前記車線基準線を決定する請求項１８に記載のコンピュータ実施方法。
【請求項２０】
前記車線基準線は、一定期間にわたって前記１つ以上の道路内の複数の車両が走行する複数の軌道に基づいて前記リモートサーバによって生成される請求項１８に記載のコンピュータ実施方法。
【請求項２１】
前記車線構成データベースは複数のマッピングエントリを含み、ここで、各マッピングエントリはいずれも特定の道路基準線を１つ以上の車線基準線にマッピングする請求項１７に記載のコンピュータ実施方法。
【請求項２２】
前記ナビゲーション地図に前記道路の車線構成が含まれていない請求項１７に記載のコンピュータ実施方法。
【請求項２３】
コンピュータプログラムであって、
前記コンピュータプログラムがプロセッサにより実行されると、請求項１〜８のいずれか一項に記載の方法を実現させるコンピュータプログラム。
【請求項２４】
コンピュータプログラムであって、
前記コンピュータプログラムがプロセッサにより実行されると、請求項１７〜２２のいずれか一項に記載の方法を実現させるコンピュータプログラム。
【外国語明細書】
2020064611000001.pdf